(57)【特許請求の範囲】
【請求項１】
横並びに平行な複数本の導体を有し、これら全導体の表側と裏側からテープ状の絶縁シートで覆い、さらにその表側の絶縁シートを覆って静電遮蔽板を電線全長にわたって設けたシールドフラット電線であって、
接地線用とした前記導体の１本に対応する位置の前記静電遮蔽板にスリットで形成された適宜形状の接続部を設け、この接続部を内側に押し込んでめり込ませることにより前記表側の絶縁シートを突き抜けさせて前記接地線用の導体に接触可能に構成したことを特徴とするシールドフラット電線。
【請求項２】
前記静電遮蔽板に前記接続部を電線全長にわたって断続的に設け、それら接続部の形状の向きを一つ置きに互い違いにして一直線上に配列してなっていることを特徴とする請求項１に記載のシールドフラット電線。
【請求項３】
前記接続部の形状が三角形状であり、その先端の鋭角部の向きを互い違いにして一直線上に配列してなっていることを特徴とする請求項２に記載のシールドフラット電線。
【請求項４】
前記接続部の形状がＵ字形状であり、そのＵ字形状の向きを正逆互い違いにして一直線上に配列してなっていることを特徴とする請求項２に記載のシールドフラット電線。
【請求項５】
前記接続部の形状がＵ字形状である場合に、前記表側の絶縁シートの対応する位置に補助スリットを設けることにより、Ｕ字形状の接続部が表側の絶縁シートに突き抜け容易となるようにしたことを特徴とする請求項４に記載のシールドフラット電線。
【発明の詳細な説明】
【０００１】
【発明の属する技術分野】
本発明は、各種電子機器や床下屋内配線などに使用される静電遮蔽機能を備えたシールドフラット電線に関する。
【０００２】
【従来の技術】
近年、各種電子機器や床下屋内配線にフラット電線・ケーブルが多用されている。図６は、フラット電線１の一般的な構造例を示しており、横並びに平行な複数本の導体２ａ，２ｂ，２ｃ・・・を表側と裏側からそれぞれ絶縁テープ３，４で覆い、導体のうちの任意の１本、たとえば真ん中の導体２ｂを接地線用としている。また、図７に示すシールドフラット電線５は、上記図６のフラット電線１の全長にわたって銅製の静電遮蔽板６で覆って静電遮蔽した構造のものである。この場合、接地線用の導体２ｂと遮蔽板６を導通させるために、あらかじめ表側の絶縁テープ３にこの長さ全長にわたって間欠的に導通孔３ａを孔明けして設けている。この導通孔３ａを通して接地線用の導体２ｂに静電遮蔽板６を点圧着して接続している。
【０００３】
従来、このようなフラット電線１およびシールドフラット電線５を基本にして、たとえば実開平７−４１８７４号公報に記載されたシールドフラット電線など多くの技術が提案されている。
図８において上記公報のシールドフラット電線７を概略的に示すに、平行な複数本の導体８のうち接地線用の導体８ａを覆う部分の絶縁フィルム９を剥離し、剥離した部分の凹溝９ａに導電性インキ１０を充填し、その導電性インキ１０を介して接地線用の導体８ａとシールドテープ層１１とを接続させている。それにより、接地線用の導体８ａとシールドテープ層１１との間の接地抵抗が小さく、また周辺部品から電気的影響を受けにくいノイズ防止に有効なシールドフラット電線７が得られるとしている。
【０００４】
【発明が解決しようとする課題】
しかしながら、上記各図に示す従来例のフラット電線１やシールドフラット電線５，７にあっては、いずれも次の問題点がある。
まず、図６のフラット電線１は、銅板を用いた静電遮蔽が必要となった場合、それに対応して専用のコネクタで遮蔽板に接続するために、接続部の厚さが大きく肥大化する不都合がある。
また、図７のシールドフラット電線５にあっては、導通孔３ａを通して接地線の導体２ｂに静電遮蔽板６が点圧着され、その点圧着が電線全長にわたって施されている。そのため、静電遮蔽が不要な個所であっても、静電遮蔽板６を取り除くことができず、不経済である。
【０００５】
また、図８の公報記載のシールドフラット電線７の場合、接地線用の導体８ａに対応して、その全長にわたって絶縁フィルム９を剥離して凹溝９ａを設ける作業手間とか、その凹溝９ａに導電性インク１０を充填する作業手間がかかり、しかも構造が非常に複雑となる不具合がある。
【０００６】
したがって、本発明の目的は、電線全長にわたって必要な個所だけに静電遮蔽を簡易に施せて経済的なシールドフラット電線を提供することにある。
【０００７】
【課題を解決するための手段】
上記目的を達成するために、本発明による請求項１に記載のシールドフラット電線は、横並びに平行な複数本の導体を有し、これら全導体の表側と裏側から絶縁シートで覆ってさらにその表側の絶縁シートの上に静電遮蔽板を電線全長にわたって設けたものであって、接地線用とした前記導体の１本に対応する位置の前記静電遮蔽板にスリットで形成された適宜形状の接続部を設け、この接続部を内側に押し込んでめり込ませることにより前記表側の絶縁シートを突き抜けさせて前記接地線用の導体に接触可能に構成したことを特徴とする。
以上の構成から、シールドフラット電線の配索時、その静電遮蔽の必要な部分だけの静電遮蔽板において接続部を押し込んでめり込ませ、内側の絶縁シートを突き抜けさせてさらにその内側の接地線用の導体に接触させる。静電遮蔽の不要な部分の静電遮蔽板を切断して除去することで、その除去分の静電遮蔽板を節約できる。
【０００８】
また、請求項２に記載のシールドフラット電線は、前記静電遮蔽板に前記接続部を電線全長にわたって断続的に設け、それら接続部の形状の向きを一つ置きに互い違いにして一直線上に配列してなっていることを特徴とするものである。
以上の構成から、断続的に設けた接続部の形状の向きを一つ置きに互い違いとすることで、それらをめり込ませて接地線用の導体に接触させた際、接触時の当接反力が相殺し合って静電遮蔽板の長さ方向へのずれが抑えられる。
【０００９】
また、請求項３に記載のシールドフラット電線は、前記接続部の形状が三角形状であり、その先端の鋭角部の向きを互い違いにして一直線上に配列してなっていることを特徴とするものである。
以上の構成から、この場合接続部を三角形状とすると、その先端の鋭角部が鋭利で内側の絶縁シートを突き抜けやすくなる。
【００１０】
また、請求項４に記載のシールドフラット電線は、前記接続部の形状がＵ字形状であり、そのＵ字形状の向きを正逆互い違いにして一直線上に配列してなっていることを特徴とするものである。
以上の構成から、この場合は断続的に設けたＵ字形状の接続部の形状の向きを一つ置きに互い違いとすることで、それらをめり込ませて接地線用の導体に接触させた際、接触時の当接反力が相殺し合って静電遮蔽板の長さ方向へのずれが抑えられる。
【００１１】
また、請求項５に記載のシールドフラット電線は、前記接続部の形状がＵ字形状である場合に、前記表側の絶縁シートの対応する位置に補助スリットを切り込んで設けて、Ｕ字形状の接続部が表側の絶縁シートに突き抜け容易となるようにしたことを特徴とするものである。
以上の構成から、接続部がＵ字形状である場合は、押し込んでめり込ませる先端が鈍角であるから、上記三角形状の場合と比べて内側の絶縁シートに突き抜け難くなる。それを補うために絶縁シートに補助スリットを設けておけば、接続部の突き抜けが容易となる。
【００１２】
【発明の実施の形態】
以下、本発明にかかるシールドフラット電線の実施の形態について、図面を参照して詳細に説明する。
【００１３】
図１は、第１実施の形態のシールドフラット電線２０を示す斜視図である。本シールドフラット電線２０は、横並びに平行な複数本の導体２１，２２，２３・・・を有し、そのうちの１本のたとえば導体２２が接地線となっており、全導体の表側と裏側からテープ状の絶縁シート２４，２５で挟み込んで被覆してフラットに構成されている。普通、導体２１，２２，２３・・・は用途ごとに識別用の印刷とか表示色が施されているため、接地線用となる導体２２の位置は容易に確認できるようになっている。また、絶縁シート２４，２５は、シート厚さが０．１５〜０．３０ｍｍのプラスチック樹脂製である。
【００１４】
図２は、表側の絶縁シート２４を上から覆って設けられるたとえば銅（Ｃｕ）製の静電遮蔽板２６を示している。この静電遮蔽板２６は、たとえば板厚０．０５〜０．２０ｍｍの軟銅であり、その長さ方向の全長にわたって上記接地線用の導体２２に対応する位置の直上に、向きを交互に違えてスリットによる複数の三角形状の接続部２７，２８が形成されている。すなわち、電線全長にわたってその一方向へ向いて接続部２７が先端の鋭角部２７ａを揃え、この接続部２７と一つ飛びに逆方向へ向かせて接続部２８が先端の鋭角部２８ａを揃えて、たとえば５０ｍｍ程度のピッチで向きを互い違いに配列されている。
【００１５】
以上の構成から、本シールドフラット電線２０をたとえば床下屋内配線などに用いて配索する場合、静電遮蔽が必要な個所では次の処理が行われる。静電遮蔽板２６の向きが互い違いの接続部２７，２８を内側に押し込み、三角形状の先端の鋭角部２７ａ，２８ａをめり込ませて下の絶縁シート２４に突き抜けさせる。銅製であるから、鋭角部２７ａ，２８ａによるプラスチック樹脂製の絶縁シート２４への突き抜けが容易である。絶縁シート２４を突き抜けると、接続部２７，２８の各鋭角部２７ａ，２８ａが接地線用の導体２２に接触する。これにて接地線用の導体１２と静電遮蔽板２６が接続状態となる。
その際、接続部２７，２８の鋭角部２７ａ，２８ａは逆向きに絶縁シート２４を突き抜けた状態となるから、突き抜け時の反力が相殺し合うことにより、電線長さ方向への静電遮蔽板２６のずれが抑えられる。
【００１６】
以上から明らかなように、シールドフラット電線２０の配索現場において、静電遮蔽の必要な部分だけに静電遮蔽板２６を施せばよく、静電遮蔽が不要な部分の静電遮蔽板２６は板厚０．０５〜０．２０ｍｍといった薄い軟銅製であるから、鋏などのカッター工具で簡便に切断して除去できる。その除去した部分の静電遮蔽板２６だけ材料費を節約でき、経済的である。
なお、配索施工時のシールドフラット電線２０は、静電遮蔽板２６の上からさらに保護板や粘着テープで固定されるため、電線横方向へのずれも抑えることができる。
【００１７】
次に、図３〜図５は、本発明にかかる第２実施の形態のシールドフラット電線３０を示している。
本例のシールドフラット電線３０は、上記第１実施の形態と基本的には同一構造であり、図４に示すように、静電遮蔽板２６に設けられる接続部３１，３２の形状を本発明でいうＵ字形状に形成した点、この場合Ｕ字に似た矩形状に形成した点が異なっている。接続部３１，３２は、接地線用の導体２２に対応する位置の直上に矩形状の向きを正逆互い違いにしたスリットで形成され、それぞれ適宜ピッチで断続的に配列されている。
【００１８】
以上から、この第２実施の形態においても、シールドフラット電線３０の配索施工時、静電遮蔽が必要な個所において上記第１実施の形態のシールドフラット電線２０の場合と同様に処理され、同様な作用が得られる。
【００１９】
ただし、接続部３１，３２がＵ字形状や矩形状の場合、めり込み先端部が鈍角であるから、絶縁シート２４への突き抜けが上記第１実施の形態の三角形状の鋭角部２７ａ，２８ａよりも若干難しくなる。それを補うため、図５に示すように、表側の絶縁シート２４の対応する位置にたとえば平行２本線からなる補助スリット２４ａを形成しておくことができる。
【００２０】
【発明の効果】
以上説明したように、本発明による請求項１に記載のシールドフラット電線は、配索施工時に静電遮蔽の必要な部分だけ、静電遮蔽板の接続部を押し込んでめり込ませ、絶縁シートを突き抜けさせてさらにその内側の接地線用の導体に接触させる。静電遮蔽の不要な部分の静電遮蔽板は切断して除去することで、その除去分の静電遮蔽板を節約できる。
【００２１】
また、請求項２に記載のシールドフラット電線は、断続的に設けた接続部の形状の向きを一つ置きに互い違いとすることで、それらをめり込ませて接地線用の導体に接触させた際、接触時の当接反力が相殺し合って静電遮蔽板の長さ方向へのずれを抑えるのに有効である。
【００２２】
また、請求項３に記載のシールドフラット電線は、この場合接続部を三角形状とすると、その先端の鋭角部が鋭利で内側の絶縁シートに突き抜けやすくなる利点がある。
【００２３】
また、請求項４に記載のシールドフラット電線は、この場合は断続的に設けたＵ字形状の接続部の形状の向きを一つ置きに互い違いとすることで、それらをめり込ませて接地線用の導体に接触させた際、接触時の当接反力が相殺し合って静電遮蔽板の長さ方向へのずれを抑えるのに有効である。
【００２４】
また、請求項５に記載のシールドフラット電線は、接続部がＵ字形状である場合は押し込んでめり込ませる先端が鈍角であるから、上記三角形状の場合よりも絶縁シートに突き抜け難くなるが、それを補うために絶縁シートに補助スリットを形成することで、接続部の突き抜けが容易となる。
【図面の簡単な説明】
【図１】本発明にかかる第１実施の形態のシールドフラット電線を示す斜視図である。
【図２】この第１実施の形態で用いられる銅板製の静電遮蔽板を示す斜視図である。
【図３】本発明にかかる第２実施の形態のシールドフラット電線を示す斜視図である。
【図４】この第２実施の形態で用いられる銅板製の静電遮蔽板を示す斜視図である。
【図５】同じく第２実施の形態において、絶縁シートに補助スリットを設けた場合を示す示す斜視図である。
【図６】従来例のフラット電線を示す斜視図である。
【図７】従来例のシールドフラット電線を示す斜視図である。
【図８】従来例として公報記載のシールドフラット電線を示す断面図である。
【符号の説明】
２０，３０      シールドフラット電線
２１，２３      導体
２２            接地線用の導体
２４，２５      絶縁シート
２４ａ          補助スリット
２６            静電遮蔽板
２７，２８      接続部
２７ａ，２８ａ  鋭角部
３１，３２      接続部
【図１】
0003637580.tif 000002
【図２】
0003637580.tif 000003
【図３】
0003637580.tif 000004
【図４】
0003637580.tif 000005
【図５】
0003637580.tif 000006
【図６】
0003637580.tif 000007
【図７】
0003637580.tif 000008
【図８】
0003637580.tif 000009